(57)【要約】【課題】  人やペットの遺骨を散骨の目的で粉砕する手動式の粉砕装置を提供すること。【解決手段】  手動によるレバー操作をテコの原理で粉砕ヘッドの上下運動に変換する粉砕動作部と遺骨を入れて粉砕する粉砕ボウルと粉砕されて粉状になった遺骨が通過する第１ふるい、第２ふるい及び粉状の遺骨を収集する収集部を備え、手によるレバー操作により粉砕ボウル内で粉砕されて粉状になった遺骨が粉砕ボウル側面の第１ふるいを通過して１．５mm以下の粒度となり、第２ふるい下の収集部に落下収集される。【選択図】  図１
2014210236.tif 000002
【特許請求の範囲】
【請求項１】
人やペットの遺骨を散骨の目的で粉砕する手動式の粉砕装置であって、手によるレバー操作をテコの原理で粉砕ヘッドの上下運動に変換する粉砕動作部と、遺骨を収容可能であると共に、側面には前記粉砕ヘッドにより粉砕された粉状の遺骨が通過する第１ふるいが設けられた粉砕ボウルと、前記第１ふるいを通過した粉状の遺骨が通過する第２ふるいと、該第２ふるいを通過した粉状の遺骨を収集する収集部を備えており、前記粉砕動作部のレバー操作により前記粉砕ボウル内で粉砕されて粉状になった遺骨が前記粉砕ボウル側面の前記第１ふるいを通過して１．５mm以下の粒度となり、前記第２ふるい下の前記収集部に落下収集されることを特徴とする遺骨の粉砕装置。
【請求項２】
前記第２ふるいは前記収集部上面で前記第１ふるいに対し１．５倍以上の孔径とすることを特徴とする請求項1記載の遺骨の粉砕装置。
【請求項３】
前記粉砕ボウルは、前記粉砕ヘッドの下を水平方向に移動可能に設けられていることを特徴とする請求項１または請求項２に記載の遺骨の粉砕装置。
【請求項４】
前記粉砕ボウルの底面中央に円形の粉砕板を備えることを特徴とする請求項１乃至請求項３のいずれかに記載の遺骨の粉砕装置。
【請求項５】
前記粉砕ボウル側面の前記第１ふるいの内側に窪んだ傾斜を付けることを特徴とする請求項１乃至請求項４のいずれかに記載の遺骨の粉砕装置。
【請求項６】
前記粉砕ボウルの側面高さを前記粉砕ヘッドの最大高さよりも高くしたことを特徴とする請求項１乃至請求項５のいずれかに記載の遺骨の粉砕装置。
【請求項７】
前記粉砕ボウルの上面に透明で環状の遺骨の飛散防止板を備えたことを特徴とする請求項１乃至請求項６のいずれかに記載の遺骨の粉砕装置。
【請求項８】
前記粉砕ヘッド側面下部にマグネットを備えることを特徴とする請求項１乃至請求項７のいずれかに記載の遺骨の粉砕装置。
【請求項９】
脱着可能な前記粉砕動作部および前記粉砕ボウルは前記収集部に入る大きさであることを特徴とする請求項１乃至請求項８のいずれかに記載の遺骨の粉砕装置。
【請求項１０】
請求項９に記載の遺骨の粉砕装置において、前記粉砕動作部を前記収集部に収納後、祭壇部を上に乗せて固定すれば祭壇となることを特徴とする遺骨の粉砕装置。
【発明の詳細な説明】
【技術分野】
【０００１】
本発明は人やペットの遺骨の粉砕を行う粉砕装置に関する。
【背景技術】
【０００２】
錠剤などの小型少量の固形物を粉砕する手動式の道具としてはピルクラッシャーや錠剤粉砕機の名称で市販されており、固形の錠剤を呑むことが困難な場合に利用されているが、テコの原理を利用して少ない力で固形の錠剤を粉砕出来る工夫がしてあり、他の薬と混ざらない対策が施されている。(下記特許文献１参照)
【０００３】
テコの原理を利用して骨を手動で粉砕する道具としては骨破砕機があり、インプラントの手術に際し、口腔内から自家骨を取出して骨破砕機で粉砕し、適宜のバインダと混合して移植することが行われているが、少量の骨を最適な大きさに砕くことが目的である。(下記特許文献２参照)
【０００４】
人やペットの遺骨を散骨の目的で粉砕するには専用の道具が無く、業者に依頼して大型の機械装置で粉砕することが主流で、モーターの高速回転を利用して不特定多数の遺骨を短時間で粉砕することが出来、微粉末が外に出ないような工夫や、荘厳な雰囲気を出す工夫がされている。(下記特許文献３参照)
【先行技術文献】
【特許文献】
【０００５】
【特許文献１】US−A１−３９１５３９３
【特許文献２】実用新案登録第３１４９０９３号
【特許文献３】特開２０１０−６３９５３号公報
【発明の概要】
【発明が解決しようとする課題】
【０００６】
ピルクラッシャーや骨破砕機で人やペットの遺骨を粉砕しようとすると、粉砕の投入口に大きな骨が入らないこと、仮に小さな骨であっても、多数の遺骨を粉砕するには、粉砕した遺骨を取り出してから新たな遺骨を投入して粉砕する操作の繰り返し作業となり、連続した粉砕作業が出来ないという問題を解決する遺骨の粉砕装置を提供することを課題とする。
【０００７】
ピルクラッシャーや骨破砕機で遺骨を粉砕しても粒度を揃えることが出来ないが、人やペットの遺骨を散骨の目的で粉砕するために、欧米の基準である粒度２mm以下に揃えることが可能な遺骨の粉砕装置を提供することを課題とする。
【０００８】
手動式の遺骨の粉砕では、粉砕作業中に周囲に遺骨や微粉末が飛散するのではないかという恐れがあるが、遺骨や微粉末の飛散がほとんど無い遺骨の粉砕装置を提供することを課題とする。
【０００９】
人の遺骨には釘、ネジ、ホッチキスの針などの棺桶に係る金属や歯の詰め物、義歯、セラミックなどの口腔内治療物や体内に埋め込むインプラント器具、副葬品のネックレス、数珠、衣類の金具やボタンなどの特有の不純物が混入していることがあり、どの遺骨にも共通して多いのが葬儀の際に使用した棺桶の釘やネジ、ホッチキスの針などの金属で、適宜取り除かないと粉砕作業に支障を来たすので、粉砕作業中に取り除くことが出来る遺骨の粉砕装置を提供することを課題とする。
【００１０】
手動で人やペットの遺骨を手作業で粉砕するにはテコの原理で力を増幅する必要があるが、粉砕力が小さいと重労働となり、粉砕力が大きすぎると粉砕ヘッドに遺骨が固着してしまう問題があるので、最適な粉砕力が得られる遺骨の粉砕装置を提供することを課題とする。
【００１１】
粉砕ヘッドの形状によっては、遺骨が挟まったり詰まったりすることがあるので、このような問題が無く、清掃が容易な形状の粉砕ヘッドを備えた遺骨の粉砕装置を提供することを課題とする。
【００１２】
人やペットの遺骨を散骨の目的で粉砕するには専用の道具が無く、業者に依頼して機械装置で粉砕することが主流であるが、複雑な装置の為に内部の清掃状況を容易に確認出来ず、他の遺骨と混ざるのではないかという不安があり、またいくら綺麗にしていても不特定多数の遺骨を粉砕するということに抵抗を感じる者も少なくないので、自家用装置として他の遺骨と混ざる心配の無い遺骨の粉砕装置を提供することを課題とする。
【００１３】
散骨の普及に伴い個人やペットの供養のために自分で納得のいく遺骨の粉砕と散骨を行うことを希望する者が増えているが、遺骨の粉砕を業者に依頼することなく供養の目的として手動式で粉砕し、使用しない時でもコンパクトになる遺骨の粉砕装置を提供することを課題とする。
【課題を解決するための手段】
【００１４】
このような目的を達成するために本発明の粉砕機は、手によるレバー操作をテコの原理でマグネット付粉砕ヘッドの上下運動に変換する粉砕動作部と、遺骨を入れて粉砕する粉砕ボウルと、粉砕されて粉状になった遺骨が通過する第１ふるい、第２ふるい及び粉砕されて粉状になった遺骨を収集する収集部を備えて構成している。
【００１５】
粉砕動作部はテコの原理を利用して、レバーを支える支点と、レバー握り手の力点と、レバーから連結プレートを介して粉砕棒先端の粉砕ヘッドに力を増幅して伝える作用点で構成され、粉砕棒が粉砕棒ガイドの中を垂直に上下することで、正確な位置での遺骨の粉砕が可能になる。
【００１６】
粉砕ボウルは底面中央が円形の粉砕板で遺骨の粉砕をし、側面が内側に窪んだ傾斜を持つ第１ふるいは粉砕されて粉状になった遺骨を排出し、傾斜があることで未粉砕の遺骨が粉砕時の振動により底面中央の粉砕板に集まり、粉砕ボウルの移動を最小にすることが出来る。
【００１７】
収集部は上部に第２ふるいがあり、粉砕作動部が脱着可能で、下部で粉状になった遺骨を収集する。粉砕ボウルの中で粉砕されて第１ふるいから排出された粉状の遺骨が第２ふるいを通過し、空気の流れの無い収集部内に落下することで微粉末の飛散を防止すると共に、万一作業中に未粉砕の遺骨がこぼれるようなことがあっても通過出来ないので、完成した遺骨に混入することはない。
【００１８】
人やペットの遺骨を粉砕するには、粉砕ヘッドと第２ふるいの間に粉砕ボウルを挿入し、粉砕ボウルに遺骨を入れてレバーの握り手を上下することによりテコの原理を利用して粉砕ヘッドで遺骨を粉砕し、粉砕ボウルの側面第１ふるいから排出された粉状の遺骨は粉砕ボウル受けの第２ふるいより自然落下して収集部に収集される。粉砕ボウルの未粉砕の遺骨は作業と共に減っていくので、適宜追加する。
【００１９】
粉砕作動部にテコの原理を利用することで、レバーに加える力を１０倍程度に増幅して粉砕ヘッドの粉砕力とし、女性や子供程度の力でも粉砕可能にする。
【００２０】
粉砕ヘッドは、手によるレバー操作の円弧運動を、連結プレートを介して粉砕棒ガイドの中で垂直運動することにより、粉砕ボウルに８分目まで投入した未粉砕の遺骨を粉砕ボウルから押し出すこと無く正確に粉砕することが出来る。
【００２１】
脱着可能な粉砕ヘッドは、粉砕ボウル底面にある円形の粉砕板に効率良く当たる円柱形とし、底部平面を鏡面仕上げすることにより、粉砕作業中の遺骨の付着を防止することが出来る。
【００２２】
粉砕ヘッドの側面下部の作業者から見える位置にマグネットを埋め込むことで、粉砕作業中に遺骨に混入した釘やネジ、ホッチキスの針などの金属を吸着し、少量であれば吸着したままでも粉砕作業に支障は無い。
【００２３】
粉砕ボウルの大きさは内径１０cm〜１５cm、深さ４cm以上とし、大人の大きな遺骨でも複数投入することが可能である。
【００２４】
粉砕ボウルの側面第１ふるいは孔径１．５mm〜２mmのパンチングメタルとし、ふるい作業によって自重で自然に排出された粉状の遺骨は、ほとんどが粒度１mm以下となり、海外での散骨でも問題なく使用出来る粒度となる。
【００２５】
粉砕ボウルの側面第１ふるいに内側に窪んだ滑らかな傾斜をつけることで、粉砕ボウルの中に入れた複数の遺骨が粉砕作業による振動で中央に集まり、粉砕ボウルの移動を少なくすることが出来ると共に、複数の遺骨が重なった状態で粉砕することにより、粉砕ヘッド直下で粉砕された遺骨が圧力で弾けるようなことがあっても、他の遺骨に阻まれて粉砕ボウルの外に飛散することが無い。
【００２６】
粉砕作業が終わりに近づき最後に少量残った硬い遺骨の粉砕時には遺骨が弾けて飛散し易いが、粉砕ボウル上面に脱着可能な環状の飛散防止板を付けることで、遺骨が粉砕ボウルの外に飛散することが無い。尚、飛散防止板は最後の硬い遺骨の粉砕時にのみ取り付ければ良い。
【００２７】
粉砕ボウル底面中央の粉砕板は円柱形の粉砕ヘッドが効率的に接触する円形の平板で、粉砕ヘッドのマグネットの影響を受けないステンレスなどの非磁性体とし、未粉砕の遺骨を粉砕する部分となる。
【００２８】
収集部上面の第２ふるいは第１ふるいの孔径の１．５倍以上のパンチングメタルとし、粉砕ヘッドの力を受けると共に、第１ふるいから排出された粉状の遺骨が第２ふるいを通過して空気の流れの無い収集部に落下させることで微粉末の飛散を防止すると共に、万一粉砕作業中に粉砕ボウルから遺骨片がこぼれても、収集部に混入されることが無い。
【００２９】
粉砕動作部と粉砕ボウル下部に、粉砕されて第１ふるいを通過した遺骨が第２ふるいを通して落下収集される収集部を備えたことで、粉砕ボウル側面の第１ふるいより排出された遺骨が全て収集部に集まるため粉砕作業の妨げとならずに、連続した粉砕、ふるい作業を行うことが出来る。
【００３０】
収集部は完成した粉状の遺骨を集め、使わない時に粉砕動作部を収納するための、箱または袋状とする。
【００３１】
人やペットの供養のための作業として手動方式にし、ふるいの目で散骨の目的用に粒度を揃え、装置のコンパクト化のため、粉砕装置を使用しない時には取り外して収集部に収容出来る。
【００３２】
本発明は手動を前提としているが、モーターの動力を使う装置として適用することも可能である。
【発明の効果】
【００３３】
本発明の遺骨の粉砕装置により、手動式のピルクラッシャーや骨粉砕機では出来なかった多量の遺骨を連続して粉砕、ふるい分けすることが出来、女性や子供、老人などの力の弱い者でも簡単、確実に、そして環境に配慮した有害物質としての不純物をほとんど含まない遺骨の粉砕が可能で、遺骨や微粉末の飛散がほとんど無く、家族や身内の者が参加することによって故人の供養にもつながり、更に自分達で散骨も行えば、故人に対して温かみのある葬送を行ったという満足感が得られると共に、粉砕装置を使用しない時にはコンパクトに収納されて、更に祭壇部を追加すれば祭壇として日常的に使用することが出来る。
【図面の簡単な説明】
【００３４】
【図１】本発明の実施の形態における遺骨の粉砕装置の構成例を示す図(斜視図)である。
【図２】遺骨の粉砕装置の粉砕動作部の断面図である。
【図３】飛散防止板を取り付け時の粉砕ボウルの断面図である。
【図４】粉砕装置の収納態様を示す図である。
【図５】粉砕装置と祭壇部の連結を示す図である。
【図６】粉砕装置と祭壇部の連結後に祭壇としての使用態様を示す図である。
【発明を実施するための形態】
【００３５】
図１は、本実施例に係る遺骨の粉砕装置の図である。粉砕装置本体１には支点ボルト１ａを支点として上下するレバー２に、連結プレート３で粉砕棒４が連結されており、レバー握り手２ａを上下することにより、粉砕ヘッド４ａが粉砕棒ガイド５の中を垂直に上下して、粉砕ボウル７の中に入った遺骨を粉砕する。粉砕されて粉状になった遺骨は粉砕ボウル７の側面第１ふるい７ｂより排出されて、更に第２ふるい９の孔を通過して収集部８に自然落下して収集される。遺骨に混入した釘やホッチキスの針などはマグネット４ｂで粉砕作業の邪魔にならない位置に吸着され、非鉄金属やセラミックなどの不純物は粉砕されずに粉砕ボウル７に残り続けるので適宜取り除けば、１．５mm以下の粒度で、不純物をほとんど含まない遺骨の粉砕が完成する。
【００３６】
図２は粉砕動作部の断面である。テコの原理を利用して、レバー２の上下操作により連結プレート３を介して粉砕棒ガイド５の中を垂直に上下運動する粉砕棒４は、底部が平面で円柱形の粉砕ヘッド４ａを備え、遺骨の複数入った粉砕ボウル７を粉砕板７ａ中心に少しずつ移動させることにより粉砕ヘッド４ａで粉砕する。粉砕ボウル７は側面が内側に窪んだ傾斜を付けているので、未粉砕の遺骨は粉砕作業の振動で中央に集まり、粉砕ヘッド直下で粉砕された遺骨が圧力で弾けるようなことがあっても、他の遺骨に阻まれて粉砕ボウル７の外に飛散することが無く、時々粉砕ボウル７を斜めにして効率的にふるい作業をし、作業の進行と共に粉砕ボウル７の８分目を目安として新しい遺骨を追加することにより遺骨を飛散させること無く粉砕する。
【００３７】
テコの原理を利用した粉砕動作部１２のレバー２は、収納時に分割可能で、支点と作用点間を３cm、支点と力点間を３０cmとすることで、レバー２の握り手２ａのストロークは最大３０cm、粉砕ヘッド４ａのストロークは最大３cmとなり、手の１０倍の力が粉砕ヘッド４ａに加わることで女性や子供でも充分な粉砕力が得られる。尚ほとんどの粉砕作業は握り手２ａを１０ｃｍ程度上下させる作業となる。
【００３８】
発明者の経験によれば握り手２ａに人が楽に加えることができる２ｋｇｆ程度の力を加えるだけで、遺骨の散乱や粉砕ヘッドに遺骨が付着することなく、大人の遺骨を１〜２時間の所要時間で粉砕することが出来、更に大きな力を加えると粉砕時間の短縮となる。
【００３９】
脱着可能な粉砕ヘッド４aは、マグネットを取り付けても磁性を帯びないステンレスなどの非磁性体の素材を使用する。粉砕ヘッドが磁性を帯びてしまうと、粉砕ヘッド下部に釘などの金属が吸着されてしまい、粉砕作業に支障を来すためで、形状は円柱形の底部平面を鏡面仕上げすることで遺骨の付着を防止し、マグネット４ｂは直径５ｍｍ、厚さ３ｍｍで粉砕ヘッド４ａの作業者から見える側面下部から５ｍｍの位置に埋め込むことで、遺骨に混入した釘やホッチキスの針などを粉砕作業中に吸着し、少量の付着であればそのままでも粉砕作業の支障とはならない。尚、マグネットは粉砕ヘッド底面に取り付けると、吸着した釘などが粉砕作業の邪魔になり、側面上部に取り付けると、吸着力が弱くなってしまう。
【００４０】
粉砕ボウル７側面の第１ふるい７ｂの目の大きさによって粉砕の粒度が決まるが、欧米などの散骨先進国では粒度が２ｍｍ以下という基準がわが国でも定着しつつある中で、自然に還りやすくするという観点から敢えて１．５ｍｍの粒度を採用しても本装置では問題なく粉砕出来、この装置では第１ふるいの目から遺骨を強制的に押し出すことなく粉砕中のふるい作業により自重でふるいの目を通過した遺骨は、ほとんどが粒度１ｍｍ以下の粉末になるので、外国での散骨にも問題無く使用出来る。第１ふるいは網でも可能で、粒度２ｍｍまでなら散骨の目的として使用可能である。
【００４１】
粉砕ボウル７は内径１０cm〜１５cm、深さ４ｃｍ以上で、未粉砕の遺骨が複数入る大きさとし、側面の高さが粉砕ヘッド４ａの最大高３ｃｍよりも高いことで粉砕ヘッド４ａが誤って粉砕ボウル７の側面上部を叩いてしまうことを防止し、底面中央の粉砕板７ａは、円柱形の粉砕ヘッド形状に対応した直径５ｃｍ程度の円形とし、マグネットの影響を受けないステンレスなどの非磁性体の素材を使用する。
【００４２】
粉砕ボウル７の側面は深さ５ｃｍの場合、上部から４ｃｍまでを垂直とし、残りの１ｃｍから底面中央の粉砕板７ａの外周に至るまで緩やかな曲線とすることで、投入された遺骨が粉砕作業の振動により粉砕板７ａの中央に集まり、粉砕ボウル７の移動を最小限にすることが出来ると共に、複数の遺骨が重なった状態で粉砕することにより、粉砕ヘッド４ａ直下で粉砕された遺骨が圧力で弾けるようなことがあっても、他の遺骨に阻まれて粉砕ボウル７の外に飛散することが無い。
【００４３】
第２ふるい９は粉砕動作部１２を取り付けて粉砕力を受けるため、厚さ３ｍｍ程度の鉄板にパンチング加工をし、ふるいの目の大きさは粉砕ボウル７側面のふるいの目の１．５倍以上とし、粉砕ボウル７側面の第１ふるいから排出された粉状の遺骨が、空気の流れの無い収集部８に落下することで微粉末の飛散を防止すると共に、万一作業中に未粉砕の遺骨がこぼれるようなことがあっても通過出来ないので、完成した遺骨に混入することはない。
【００４４】
粉砕動作部１２と粉砕ボウル７下部に、粉砕されて粉状になった遺骨が第２ふるい９を通して落下収集される収集部８を備えたことで、粉砕ボウル７側面の第１ふるい７ｂより排出された遺骨は、第２ふるい９の上面に残ることがあっても粉砕作業の振動と粉砕ボウルの移動によって第２ふるい９を通過するために粉砕作業の妨げとならずに、連続した粉砕、ふるい作業を行うことが出来る。
【００４５】
収集部８が箱の場合には引き出し１０は遺骨の取出しと清掃がし易い樹脂やプラスチック製で、幅２３ｃｍ、奥行き３３ｃｍ、高さ９ｃｍあれば容量は６．８リットルとなり、大人の粉砕された遺骨１体分は最大３リットルになることがあるが、箱内でなだらかな山状に堆積した粉状の遺骨の上部は、引き出し１０を引き出す時に第２ふるい９に接触することが無い。尚収集部８が袋の場合には同等の容量で、遺骨の付着が少ないビニル袋か紙袋が使用可能である。
【００４６】
遺骨の粉砕が終了したら粉砕装置周辺の清掃をして引き出し１０を開け出来上がった粉末の遺骨を取り出す。
【００４７】
図３は飛散防止板２０を取り付け時の粉砕ボウル７を示す図である。粉砕作業が終わりに近づき最後に残った少量の硬い遺骨の粉砕時には遺骨が弾けて飛散し易いが、粉砕ボウル７の上面に粉砕ボウル７外周から粉砕板７ａまでの長さの環状になった透明の飛散防止板２０を取り付けることで、遺骨の飛散を防止することが出来る。飛散防止板２０は、ビニルシートのような軟質の透明素材をテープで留めることにより脱着しやすくする。但し、透明の樹脂材料でもよい。
【００４８】
図４は、本装置の収納態様を示す図である。遺骨の粉砕作業を終えた後、粉砕動作部１２は本体連結ボルト１ｂを外して収集部８より取り外し、更にレバー連結ボルト２ｂを外して引き出し１０内に粉砕ボウル７と共に全ての部品を収納する。
【００４９】
図５は粉砕部と祭壇部の連結を示す図である。粉砕動作部１２を分解収納した後に祭壇部１３を乗せて連結金具１１で固定すれば粉砕装置は全く見えなくなり、日常的に祭壇として使用出来る。
【００５０】
図６は祭壇としての使用態様を示す図である。粉砕する前の遺骨を骨壷のまま祀ることも出来、粉砕後の遺骨をメモリアル用品に納めたものや写真、位牌、故人の形見などを祀ることも出来る。
【符号の説明】
【００５１】
１  粉砕装置本体
１ａ  支点
１ｂ  粉砕動作部連結ボルト
２  レバー
２ａ  握り手
２ｂ  レバー連結ボルト
３  連結プレート
４  粉砕棒
４ａ  粉砕ヘッド
４ｂ  マグネット
５  粉砕棒ガイド
６  レバー跳ね上げバネ
７  粉砕ボウル
７ａ  粉砕板
７ｂ  第１ふるい
８  収集部
９  第２ふるい
１０  引き出し
１１  連結金具
１２  粉砕動作部
１３  祭壇部
２０  飛散防止板
【図１】
2014210236.tif 000003
【図２】
2014210236.tif 000004
【図３】
2014210236.tif 000005
【図４】
2014210236.tif 000006
【図５】
2014210236.tif 000007
【図６】
2014210236.tif 000008